(57)【要約】【課題】  良好に指向性を制御しつつ、ダウンコンバータ，ＡＤコンバータ，あるいはそれらに対する配線を省略して回路規模の縮小を図ることができるアダプティブアレーアンテナを提供する。【解決手段】  移相量・振幅量制御手段１０におけるアンテナ受信信号の取り込みを、ＡＤコンバータＡＤＣから行う。位相・振幅変更手段ＰＡＲ１〜ＰＡＲＭの値のいずれかを「１」，他を「０」に変化させることで、いずれか一つのアンテナ受信信号を取り込む。この動作をアンテナ数分だけ繰り返すことで、全てのアンテナＡＮ１〜ＡＮＭについて、受信信号を取り込むことができる。【選択図】図１
2008312197.tif 000002
【特許請求の範囲】
【請求項１】
複数のアンテナの受信信号を加算する際に、各アンテナの位相・振幅を位相・振幅変更手段によって変更することによって、指向性を動的に制御するアダプティブアレーアンテナの指向性制御方法において、
前記位相・振幅変更手段を、受信信号のプリアンブルの周期毎に順次スイッチング動作するステップ１と、
前記ステップ１のスイッチング動作中に各位相・振幅変更手段の出力信号を順次取り込み、前記プリアンブルの複数の周期を利用して全てのアンテナの受信信号を記録するステップ２と、
前記ステップ２によって記録した各アンテナの受信信号を利用して、前記指向性を動的に制御するための演算を行うステップ３と、
を含むことを特徴とするアダプティブアレーアンテナの指向性制御方法。
【請求項２】
受信信号を変更する位相・振幅変更手段をアンテナ毎に備えており、これらの位相・振幅変更手段の受信信号出力を加算手段で加算して復調手段に供給するアダプティブアレーアンテナ装置において、
前記位相・振幅変更手段を、受信信号のプリアンブルの周期毎に順次スイッチング動作させるスイッチング手段と、
このスイッチング手段によるスイッチング動作中に、前記加算手段の受信信号出力を順次取り込み、前記プリアンブルの複数の周期を利用して全てのアンテナの受信信号を記録する記憶手段と、
この記憶手段に記録された各アンテナの受信信号を利用して、アンテナの指向性を動的に制御する制御手段と、
を備えたことを特徴とするアダプティブアレーアンテナ装置。
【請求項３】
複数のアンテナと、
これら複数のアンテナ毎に設けられた位相・振幅変更を行う位相・振幅変更手段と、
これら位相・振幅変更手段の出力を加算する加算手段と、
この加算手段の出力に対して周波数変換を行う周波数変換手段と、
この周波数変換手段の出力をデジタル信号に変換するＡＤＣ手段と、
指向性を動的に制御するための各位相・振幅変更手段の値を演算する移相量・振幅量演算手段と、
この移相量・振幅量演算手段の演算結果に基づいて、前記位相・振幅変更手段の値を決定する位相・振幅決定手段と、
を備えており、
前記移相量・振幅量演算手段が、
前記位相・振幅決定手段によって、前記位相・振幅変更手段をアンテナ受信信号のプリアンブルの周期毎に順次スイッチング動作する処理と、
該スイッチング動作中に各位相・振幅変更手段の出力信号を順次取り込み、前記プリアンブルの複数の周期を利用して全てのアンテナの受信信号を記録する処理と、
記録した各アンテナの受信信号を利用して、指向性を動的に制御するための位相・振幅変更手段の値を演算する処理と、
を行うことを特徴とするアダプティブアレーアンテナ装置。
【発明の詳細な説明】
【技術分野】
【０００１】
本発明は、アダプティブアレーアンテナ装置及びその指向性制御方法に関し、特に、簡素化した構成の装置及びその指向性制御方法に関する。
【背景技術】
【０００２】
複数のアンテナをアレー状に配置したアダプティブアレーアンテナは、その指向性を電波状況の変化に合わせて動的に変更することができ、携帯電話の基地局などで利用されている。図７には、アナログ位相・振幅変更手段（荷重）を持つアダプティブアレーアンテナの基本的構成が示されている。同図において、アンテナＡＮ１，ＡＮ２，…，ＡＮＭの受信信号は、ダウンコンバータＤＣ１，ＤＣ２，…，ＤＣＭにおいて周波数を所定の値に下げた信号となり、更にＡＤコンバータＡＤＣ１，ＡＤＣ２，…，ＡＤＣＭでアナログ信号からデジタル信号に変換されて移相量・振幅量制御手段９００の移相量・振幅量演算手段９０２に供給される。移相量・振幅量制御手段９００は、例えばＤＳＰ（Digital Signal Processor）によって構成されている。移相量・振幅量演算手段９０２では、参照信号出力手段９０４から出力された参照信号を参照しながら所定の演算が行われ、演算結果は位相・振幅決定手段ＰＡＤ１，ＰＡＤ２，…，ＰＡＤＭを介して、位相・振幅変更手段ＰＡＲ１，ＰＡＲ２，…，ＰＡＲＭに供給されている。位相・振幅変更手段ＰＡＲ１，ＰＡＲ２，…，ＰＡＲＭでは、アンテナＡＮ１，ＡＮ２，…，ＡＮＭの受信信号に対して位相及び振幅の変更処理がそれぞれ行われ、変更後の信号は加算器９１０で加算される。更に、加算信号は、ダウンコンバータＤＣで所定の周波数の信号に変換され、ＡＤコンバータＡＤＣでデジタル信号に変換されて復調器９１２に供給される。
【０００３】
図８は、移相量・振幅量制御手段９５０をデジタル化したＤＢＦ（Digital Beamforming）の例で、アンテナからの信号をそのまま取り込んでデジタル信号処理により所望の指向性を得るようにしている。同図のように、移相量・振幅量制御手段９５０は、移相量・振幅量演算手段９０２及び参照信号出力手段９０４の他に、位相・振幅決定手段ＱＡＤ１，ＱＡＤ２，…，ＱＡＤＭ，位相・振幅変更手段ＱＡＲ１，ＱＡＲ２，…，ＱＡＲＭ，加算器９５２もデジタル化されている。加算器９５２の加算出力は復調器９１２に供給される。
【０００４】
以上のように、アダプティブアレーアンテナでは、複数のアンテナが受信した電波の位相と振幅を制御するために、各アンテナからの受信信号は移相量・振幅量制御手段に入力される。しかし、各アンテナから移相量・振幅量制御手段へ信号を入力するためには、各アンテナと同数のダウンコンバータとＡＤコンバータが必要となり、回路規模が大きくなってしまう。
【０００５】
このようなダウンコンバータとＡＤコンバータを省略して回路規模の縮小を図った背景技術として、下記特許文献１に記載された「アダプティブアレーアンテナ」がある。これは、複数の移相手段のうち１個の移相手段の移相量を、現在設定している移相量を所定角度（９０°）だけ増加させた値に設定変更し、次に現在設定している移相量を所定角度だけ減少させた値に設定変更し、そのときの合成された受信信号の強度変化を信号強度検出手段により検出し、検出された受信信号の強度変化のみを用いて評価関数の移相量に対する偏微分係数を求めて、評価関数の移相量に対する偏微分係数に基づいた移相制御を行うようにしたものである。
【特許文献１】特開２００１−１６０７０８公報
【発明の開示】
【発明が解決しようとする課題】
【０００６】
上述した特許文献１記載の技術によれば、求めた位相の偏微分値に例えば最急降下法に基づく最適化が行われる。これにより、各アンテナ毎に設けられていたダウンコンバータやＡＤコンバータがなく、更にはそれらに対する配線がないため、回路が簡素化され小型にすることができる。
【０００７】
しかしながら、これらの上述した背景技術では、各アンテナからの入力信号そのものを得ておらず、入力信号を使わずに移相量に関する偏微分係数を求めて位相制御を行っている。このため、各入力信号を使って計算する今までのアルゴリズムはそのまま使うことはできない。具体的には、アンテナ特性の最適化法として勾配法以外の方法を適用することが難しい。すなわち、電波状況に合わせて最適化法を選ぶなどの複雑な操作ができないこと或いはアレーアンテナに対しての新しいアルゴリズムの適用が難しいことなどの不都合がある。
【０００８】
本発明は、以上の点に着目したもので、良好な指向性の制御を行いつつ、ダウンコンバータ，ＡＤコンバータ，あるいはそれらに対する配線を省略して回路規模の縮小を図ることができ、各種の特性最適化法を適用することができるアダプティブアレーアンテナ装置及びその指向性制御方法を提供することを、その目的とする。
【課題を解決するための手段】
【０００９】
本発明は、複数のアンテナの受信信号を加算する際に、各アンテナの位相・振幅を位相・振幅変更手段によって変更することにより、指向性を動的に制御するアダプティブアレーアンテナの指向性制御方法である。そして、前記位相・振幅変更手段を、受信信号のプリアンブルの周期毎に順次スイッチング動作し、次に、スイッチング動作中に各位相・振幅変更手段の出力信号を順次取り込んで、前記プリアンブルの複数の周期を利用して全てのアンテナの受信信号を記録し、次に、記録した各アンテナの受信信号を利用して、前記指向性を動的に制御するための演算を行う。これにより上記目的が達成される。また、本発明は、上記の指向性制御方法を用いたアダプティブアレーアンテナ装置である。本発明の前記及び他の目的、特徴、利点は、以下の詳細な説明及び添付図面から明瞭になろう。
【発明の効果】
【００１０】
本発明によれば、受信信号のプリアンブルの１周期で１つのアンテナの受信信号を取り込み、複数の周期を利用して全アンテナの受信信号を取り込む。このため、各アンテナ毎にダウンコンバータやＡＤコンバータを設けることなく、指向性を動的に制御するための演算を行うことができ、回路規模の縮小を図ることができる。また、受信信号を取り込んでいるので、状況や用途によって様々な最適化法を適用することができる。
【発明を実施するための最良の形態】
【００１１】
以下、本発明を実施するための最良の形態を、実施例に基づいて詳細に説明する。
【実施例１】
【００１２】
図１には、本実施例の回路ブロック図が示されている。同図において、アンテナＡＮ１，ＡＮ２，…，ＡＮＭの受信信号出力側は、位相・振幅変更手段ＰＡＲ１,ＰＡＲ２，…，ＰＡＲＭをそれぞれ介して加算器９１０の入力側に接続されている。加算器９１０の加算出力側は、ダウンコンバータＤＣ，ＡＤコンバータＡＤＣを介して復調器９１２の入力側に接続されている。以上の構成は、上述した図７の背景技術と同様である。
【００１３】
ところで、本実施例では、上述したＡＤコンバータＡＤＣの出力側が、移相量・振幅量制御手段１０の入力側に接続されている。移相量・振幅量制御手段１０は、例えばＤＳＰによって構成されており、移相量・振幅量演算手段１２，参照信号出力手段１４，入力記憶手段Ｓ１，Ｓ２，…，ＳＭを備えている。また、移相量・振幅量切替更新停止手段２０の出力側も移相量・振幅量制御手段１０に接続されている。
【００１４】
これらのうち、移相量・振幅量演算手段１２は、ＣＰＵを中心に構成されており、図示していないプログラムメモリに記録された移相量・振幅量の演算プログラムが実行されるようになっている。参照信号出力手段１４は、理想的な応答信号を出力するためのもので、一種のメモリである。入力記憶手段Ｓ１，Ｓ２，…，ＳＭは、前記ＡＤコンバータＡＤＣから入力された入力信号データを記憶するためのメモリである。
【００１５】
移相量・振幅量演算手段１２の演算結果出力側は、位相・振幅決定手段ＰＡＤ１，ＰＡＤ２，…，ＰＡＤＭの入力側にそれぞれ接続されており、これら位相・振幅決定手段ＰＡＤ１，ＰＡＤ２，…，ＰＡＤＭの出力側は、上述した位相・振幅変更手段ＰＡＲ１，ＰＡＲ２，…，ＰＡＲＭの制御入力側にそれぞれ接続されている。
【００１６】
次に、図２を参照しながら本実施例の動作の概要を説明する。移相量・振幅量制御を行うためには、各アンテナＡＮ１，ＡＮ２，…，ＡＮＭからの受信信号を得る必要がある。本実施例では、移相量・振幅量制御手段１０におけるアンテナ受信信号の取り込みを、ＡＤコンバータＡＤＣから行う。しかし、ＡＤコンバータＡＤＣからは、全てのアンテナ受信信号の加算値しか得られない。そこで、位相・振幅変更手段ＰＡＲ１，ＰＡＲ２，…，ＰＡＲＭの値のいずれかを「１」，他を「０」に変化させてアンテナ入力信号をスイッチングすることで、いずれか一つのアンテナ受信信号を取り込むようにしている。
【００１７】
図２には、その様子が示されている。例えば、アンテナ受信信号中のプリアンブル（同期信号）の１周期目では（同図(A)参照）、位相・振幅変更手段ＰＡＲ１の値が「１」，他の位相・振幅変更手段ＰＡＲ２，ＰＡＲ３，…，ＰＡＲＭの値がいずれも「０」となる（同図(B)参照）。換言すれば、位相・振幅変更手段ＰＡＲ１が「ＯＮ」，他の位相・振幅変更手段ＰＡＲ２，ＰＡＲ３，…，ＰＡＲＭがいずれも「ＯＦＦ」となる。このため、アンテナＡＮ１からの受信信号のみが加算器９１０に入力され、これがダウンコンバータＤＣ，ＡＤコンバータＡＤＣを介して移相量・振幅量制御手段１０に取り込まれる（同図(C)参照）。
【００１８】
同様に、プリアンブルの２周期目では（同図(A)参照）、位相・振幅変更手段ＰＡＲ２の値が「１」，他の位相・振幅変更手段ＰＡＲ１，ＰＡＲ３，…，ＰＡＲＭの値がいずれも「０」となる（同図(B)参照）。換言すれば、位相・振幅変更手段ＰＡＲ２が「ＯＮ」，他の位相・振幅変更手段ＰＡＲ１，ＰＡＲ３，…，ＰＡＲＭがいずれも「ＯＦＦ」となる。このため、アンテナＡＮ２からの受信信号のみが加算器９１０に入力され、これがダウンコンバータＤＣ，ＡＤコンバータＡＤＣを介して移相量・振幅量制御手段１０に取り込まれる（同図(C)参照）。以上の動作が、プリアンブルのＭ周期目まで順次繰り返し行われ、Ｍ周期で、アンテナＡＮ１，ＡＮ２，…，ＡＮＭの全ての受信信号が取り込まれる。
【００１９】
次に、以上の動作を、図３〜図６も参照しながら、更に詳細に説明する。図３(A)には、移相量・振幅量制御手段１０の動作手順がフローチャートとして示されており、まず受信信号を取り出す最初のアンテナを指定する（ステップＳ１０）。「ｋ」は、受信信号を取り出したいアンテナのインデックスであり、「ｋ＝１」とすることで、アンテナＡＮ１が指定される。
【００２０】
次に、移相量・振幅量制御手段１０は、位相・振幅変更手段ＰＡＲ１，ＰＡＲ２，…，ＰＡＲＭの値ｗを決定する（ステップＳ１２）。決定の手順は、図３(B)に示されており、位相・振幅変更手段の値ｗiを「０」とする初期化動作を、ｉ＝１〜Ｍまで繰り返し行う（ステップＳ１２０〜Ｓ１２６）。「ｉ」は、位相・振幅変更手段ＰＡＲ１，ＰＡＲ２，…，ＰＡＲＭの値ｗiを初期化するためのインデックスである。次に、ｋ番目の位相・振幅変更手段の値ｗkを「１」とする（ステップＳ１２８）。従って、最初は、位相・振幅変更手段ＰＡＲ１の値ｗ1が「１」となり、他の位相・振幅変更手段ＰＡＲ２，ＰＡＲ２，…，ＰＡＲＭの値ｗ2,ｗ3，…，ｗMは「０」となる。この様子は、前記図２(B)の１周期目に示したとおりである。具体的には、移相量・振幅量演算手段１２によって値ｗiが演算され、位相・振幅決定手段ＰＡＤ１，ＰＡＤ２，…，ＰＡＤＭを介して位相・振幅変更手段ＰＡＲ１，ＰＡＲ２，…，ＰＡＲＭに値ｗiがそれぞれ設定される。
【００２１】
時刻ｔにおけるアンテナアレー出力ｙ(t)，すなわち加算器９１０の出力は、各アンテナの受信信号ｘi(t)と、各位相・振幅変更手段の値ｗi*（*は複素共役）の積の総和となる。ところが、上述したように、位相・振幅変更手段ＰＡＲ１の値ｗ1は「１」，他の位相・振幅変更手段ＰＡＲ２，ＰＡＲ３，…の値ｗ2，ｗ3，…は「０」となっている。このため、前記アンテナアレー出力は時刻ｔの入力信号ｘ1(t)と一致する。この動作により、アンテナＡＮ１の受信信号のみが取り出され、加算器９１０，ダウンコンバータＤＣ，ＡＤコンバータＡＤＣを介して移相量・振幅量制御手段１０に取り込まれる状態となる。
【００２２】
次に、図３(A)に戻って、移相量・振幅量制御手段１０では、前記プリアンブルの１周期目で受信信号のサンプリングを行い、受信信号データとして入力記憶手段Ｓ１に記録する。すなわち、サンプリングインデックスｓを「１」として最初のサンプリング点を指定し（ステップＳ１４）、このときのアレー出力，すなわち加算器出力ｙをデータとして取り込む（ステップＳ１６，Ｓ１８）。この動作は、サンプリング点が最大値Ｎに達するまで繰り返し行われる（ステップＳ２０，Ｓ２２参照）。これらの動作により、図２の１周期目において、アンテナＡＮ１の受信信号がＮ個のサンプリング点でサンプリングされ、信号データが入力記憶手段Ｓ１に記録される。
【００２３】
図４には、以上の様子が詳細に示されている。アンテナＡＮ１，ＡＮ２，…，ＡＮＭには、同図(A)に示すような電波が受信される。このうち、プリアンブルの１周期目については、上述したように、位相・振幅変更手段ＰＡＲ１の値ｗが「１」となり、他の位相・振幅変更手段ＰＡＲ２，ＰＡＲ２，…，ＰＡＲＭの値ｗは「０」に設定される。このため、同図(B)に矢印で示すように、アンテナＡＮ１の受信信号のみが加算器９１０に入力され、ダウンコンバータＤＣ及びＡＤコンバータＡＤＣによる処理の後、移相量・振幅量制御手段１０に入力される。
【００２４】
具体的には、同図(A)の１周期目のプリアンブルに対し、１〜Ｎのサンプリング点でサンプリングが行われ、各サンプリング点についてｘ1(1)，ｘ1(2)，…，ｘ1(N)の受信信号データが得られ、これらは入力記憶手段Ｓ１に記録される。図４(C)には、入力記憶手段Ｓ１，Ｓ２，…，ＳＭのサンプリング点１〜Ｎにおける受信信号データの記録の様子が示されており、図中に矢印で示すように、データｘ1(1)，ｘ1(2)，…，ｘ1(N)が記録された状態となっている。
【００２５】
図３に戻って、アンテナＡＮ１の受信信号について、プリアンブルの信号サンプリングが終了すると（ステップＳ２０のYes）、アンテナＡＮ２について同様の処理が繰り返し行われる（ステップＳ２４のNo，ステップＳ２６）。図５には、その様子が示されており、同図(A)に示すプリアンブルの２周期目については、位相・振幅変更手段ＰＡＲ２の値ｗが「１」となり、他の位相・振幅変更手段ＰＡＲ１，ＰＡＲ３，…，ＰＡＲＭの値ｗは「０」に設定される。このため、同図(B)に矢印で示すように、アンテナＡＮ２の受信信号のみが加算器９１０に入力され、ダウンコンバータＤＣ及びＡＤコンバータＡＤＣによる処理の後、移相量・振幅量制御手段１０に入力される。すなわち、同図(A)の２周期目のプリアンブルに対し、１〜Ｎのサンプリング点についてｘ2(1)，ｘ2(2)，…，ｘ2(N)の受信信号データがサンプリングされ、これらが図５(C)に矢印で示すように、入力記憶手段Ｓ２に記録される。
【００２６】
図３に戻って、以上の動作が、アンテナＡＮ３，ＡＮ４，…，ＡＮＭに対して順次行われる（ステップＳ２４のYes）。図６には、アンテナＡＮＭについての信号取り込みの様子が示されており、同図(A)に示すプリアンブルのＭ周期目については、位相・振幅変更手段ＰＡＲＭの値ｗが「１」となり、他の位相・振幅変更手段ＰＡＲ１，ＰＡＲ３，…の値ｗは「０」に設定される。このため、同図(B)に矢印で示すように、アンテナＡＮＭの受信信号のみが加算器９１０に入力され、ダウンコンバータＤＣ及びＡＤコンバータＡＤＣによる処理の後、位相・振幅量制御手段１０に入力される。すなわち、同図(A)のＭ周期目のプリアンブルに対し、１〜Ｎのサンプリング点についてｘM(1)，ｘM(2)，…，ｘM(N)の受信信号データがサンプリングされ、これらが図６(C)に矢印で示すように、入力記憶手段ＳＭに記録される。
【００２７】
全てのアンテナについて動作を終了すると、入力記憶手段Ｓ１，Ｓ２，…，ＳＭには、図６(C)に示すようにデータが記録された状態となる。次に、移相量・振幅量制御手段１０では、以上のようにして記憶手段Ｓ１，Ｓ２，…，ＳＭに記録されたデータと、参照信号出力手段１４から出力されている参照信号に基づいて、移相量・振幅量演算手段１２により最急降下法などの演算が行われ（図３(A)のステップＳ２８参照）、アンテナ特性を最適化するための他の位相・振幅変更手段ＰＡＲ１，ＰＡＲ３，…の値が求められる。そして、それらの値に基づいて、位相・振幅決定手段ＰＡＤ１，ＰＡＤ２，…，ＰＡＤＭにより位相・振幅変更手段ＰＡＲ１，ＰＡＲ２，…，ＰＡＲＭの値が変更され、指向性が制御される。この後、移相量・振幅量切替更新停止手段２０によって、位相・振幅変更手段ＰＡＲ１，ＰＡＲ２，…，ＰＡＲＭの更新は停止される。
【００２８】
これを図７の背景技術と比較すると、背景技術の場合はプリアンブルの１周期で全アンテナＡＮ１〜ＡＮＭについて受信信号を取り込むのに対し、本実施例ではＭ周期で取り込む点で相違する。しかしながら、図１と図７の回路構成を比較すれば明らかなように、各アンテナ毎のダウンコンバータＤＣやＡＤコンバータＡＤＣが不要になり、回路規模が大幅に縮小される。図８の背景技術との比較においても同様である。更に、本実施例によれば、上述した特許文献１の発明と比較して、位相の偏微分値ではなく、アンテナからの受信信号の位相・振幅情報を得ており、位相情報のみならず振幅情報も得ている。このため、最急降下法のみならず、状況や用途によって様々な最適化法を適用することができる。
【００２９】
なお、本発明は、上述した実施例に限定されるものではなく、本発明の要旨を逸脱しない範囲内において種々変更を加え得ることができる。例えば、以下のものも含まれる。
(1)前記実施例に示した処理手順は一例であり、同様の効果を奏するように適宜変更可能である。例えば、受信信号取り込みの際の位相・振幅変更手段ＰＡＲ１，ＰＡＲ２，…，ＰＡＲＭの値の設定を、最初に全て初期化して「０」とし、次に所望のものを「１」としたが、「１，０，０，…，０」の符号列を適用し、これの「１」をプリアンブルの周期に対応して巡回させるようにしてもよい。例えば、アンテナ数Ｍが４のときは、「1,0,0,0」→「0,1,0,0」→「0,0,1,0」→「0,0,0,1」→「1,0,0,0」という具合である。
(2)回路をアナログ，デジタルのいずれで構成するかも必要に応じて適宜変更してよい。
例えば、図８に示した背景技術のように、位相・振幅決定手段や位相・振幅変更手段をデジタル化してもよい。
(3)図３に示した処理手順も一例であり、移相量・振幅量制御手段１０のプログラムを同様の結果が得られるように各種変更してよい。
【産業上の利用可能性】
【００３０】
本発明によれば、回路規模を縮小しつつ、各種の最適化法を適用することができるので、ＷＬＡＮアクセスポイント，携帯電話やＰＨＳの基地局，地上デジタル放送受信機などに好適である。
【図面の簡単な説明】
【００３１】
【図１】本発明の実施例１の回路構成を示すブロック図である。
【図２】前記実施例１の基本的な動作を示す説明図である。
【図３】前記実施例１における移相量・振幅量制御手段の動作を示すフローチャートである。
【図４】前記実施例１におけるアンテナＡＮ１からの信号取り込みの様子を示す図である。
【図５】前記実施例１におけるアンテナＡＮ２からの信号取り込みの様子を示す図である。
【図６】前記実施例１におけるアンテナＡＮＭからの信号取り込みの様子を示す図である。
【図７】位相・振幅変更手段をデジタル化していないアダプティブアレーアンテナの基本構成を示すブロック図である。
【図８】他の背景技術であるＤＢＦの基本構成を示すブロック図である。
【符号の説明】
【００３２】
ＡＤＣ，ＡＤＣ１，ＡＤＣ２，…，ＡＤＣＭ：ＡＤコンバータ
ＡＮ１，ＡＮ２，…，ＡＮＭ：アンテナ
ＤＣ，ＤＣ１，ＤＣ２，…，ＤＣＭ：ダウンコンバータ
ＰＡＤ１，ＰＡＤ２，…，ＰＡＤＭ：位相・振幅決定手段
ＰＡＲ１，ＰＡＲ２，…，ＰＡＲＭ：位相・振幅変更手段
ＱＡＤ１，ＱＡＤ２，…，ＱＡＤＭ：位相・振幅決定手段
ＱＡＲ１，ＱＡＲ２，…，ＱＡＲＭ：位相・振幅変更手段
Ｓ１，Ｓ２，…，ＳＭ：入力記憶手段
１０：移相量・振幅量制御手段
１２：移相量・振幅量演算手段
１４：参照信号出力手段
２０：移相量・振幅量切替更新停止手段
９００：移相量・振幅量制御手段
９０２：移相量・振幅量演算手段
９０４：参照信号出力手段
９１０：加算器
９１２：復調器
９５０：移相量・振幅量制御手段
９５２：加算器
【図１】
2008312197.tif 000003
【図２】
2008312197.tif 000004
【図３】
2008312197.tif 000005
【図４】
2008312197.tif 000006
【図５】
2008312197.tif 000007
【図６】
2008312197.tif 000008
【図７】
2008312197.tif 000009
【図８】
2008312197.tif 000010